(57)【要約】【課題】溶融亜鉛めっき時、長尺な鋼材や亜鉛浴の周囲の空気を遮断し白煙の拡散を防止する、空気遮断システム。【解決手段】対向して立設する２枚の壁体と、前記２枚の壁体の上部に、前記壁体の長さ方向に沿って設けた噴出口と、を有し、前記噴出口は、対向する前記壁体方向から前記壁体の一方の端部方向に所定の角度をもって高圧空気を噴出するように構成して、前記高圧空気により遮断膜を形成し、前記２枚の壁体と、前記遮断膜とによって、遮断空間を形成し、前記遮断空間の、前記壁体の一方の端部側の開口部に吸込口を設け、前記遮断膜を形成する高圧空気と、遮断空間内部の空気とを、前記吸込口から吸い込むことを特徴とする、空気遮断システム。【選択図】図１
2011225919.tif 000002
【特許請求の範囲】
【請求項１】
対向して立設する２枚の壁体と、前記２枚の壁体の上部に、前記壁体の長さ方向に沿って設けた噴出口と、を有し、
前記噴出口は、対向する前記壁体方向から前記壁体の一方の端部方向に所定の角度をもって高圧空気を噴出するように構成して、前記高圧空気により遮断膜を形成し、
前記２枚の壁体と、前記遮断膜とによって、遮断空間を形成し、
前記遮断空間の、前記壁体の一方の端部側の開口部に吸込口を設け、
前記遮断膜を形成する高圧空気と、遮断空間内部の空気とを、前記吸込口から吸い込むことを特徴とする、
空気遮断システム。
【請求項２】
請求項１に記載の空気遮断システムにおいて、
前記高圧空気は、前記壁体の内部に設けたダクトを経由して前記噴出口に供給し、
前記ダクトは、複数の主ダクトと、前記主ダクトから分岐する複数の枝ダクトと、により構成し、
前記複数の枝ダクトの分岐側の断面が略同一であることを特徴とする、
空気遮断システム。
【発明の詳細な説明】
【技術分野】
【０００１】
本発明はプッシュプル気流により空気を遮断する、空気遮断システムに関するものである。
【背景技術】
【０００２】
鋼材の防錆処理として、溶融亜鉛めっきが広く用いられている。
溶融亜鉛めっきは、亜鉛を溶融した高温の亜鉛浴に鋼材を浸漬して、鋼材の表面にめっき被膜を作るものである。
溶融亜鉛めっきを行う鋼材は、亜鉛浴に浸漬する前に塩化アンモニウムによってフラックス膜を形成する。また、浸漬後には、同じく塩化アンモニウムによってめっき被膜表面の洗浄を行う。
【発明の概要】
【発明が解決しようとする課題】
【０００３】
塩化アンモニウムは、高温の亜鉛浴やめっき被膜によって白煙となる。
このため、溶融亜鉛めっき作業において、めっき時やその後の洗浄時には白煙が発生する。
溶融亜鉛メッキを行う鋼材は長尺であるため、長尺な鋼材から発生する白煙は広範囲に拡散し、めっき作業ができなくなるという問題があった。
【０００４】
本発明は、長尺な鋼材や亜鉛浴の周囲の空気を遮断し、白煙の拡散を防止する、空気遮断システムを提供することを目的とする。
【課題を解決するための手段】
【０００５】
上記目的を達成するためになされた本願の第１発明は、対向して立設する２枚の壁体と、前記２枚の壁体の上部に、前記壁体の長さ方向に沿って設けた噴出口と、を有し、前記噴出口は、対向する前記壁体方向から前記壁体の一方の端部方向に所定の角度をもって高圧空気を噴出するように構成して、前記高圧空気により遮断膜を形成し、前記２枚の壁体と、前記遮断膜とによって、遮断空間を形成し、前記遮断空間の、前記壁体の一方の端部側の開口部に吸込口を設け、前記遮断膜を形成する高圧空気と、遮断空間内部の空気とを、前記吸込口から吸い込むことを特徴とする、空気遮断システムを提供する。
本願の第２発明は、第１発明の空気遮断システムにおいて、前記高圧空気は、前記壁体の内部に設けたダクトを経由して前記噴出口に供給し、前記ダクトは、複数の主ダクトと、前記主ダクトから分岐する複数の枝ダクトと、により構成し、前記複数の枝ダクトの分岐側の断面が略同一であることを特徴とする、空気遮断システムを提供する。
【発明の効果】
【０００６】
本発明は、上記した課題を解決するための手段により、次のような効果の少なくとも一つを得ることができる。
＜１＞２枚の壁体と、壁体上部の噴出口から噴出する高圧空気によって形成する遮断膜と、によってトンネル状の遮断空間を形成することにより、遮断空間内部で発生する煙の拡散を防止できる。
＜２＞遮断空間上部の遮断膜を、遮断空間の端部方向に角度を有する高圧空気により形成するため、内部の空気を巻き込みながら遮断空間端部に搬送することができる。
＜３＞搬送された空気を吸込口から吸い込むことにより、プッシュプル気流を形成し、遮断と排気を効率よく行うことができる。
＜４＞複数の主ダクトと、主ダクトから分岐する枝ダクトによって高圧空気を噴出口に供給するため、高圧空気を一様に噴出することができる。
【図面の簡単な説明】
【０００７】
【図１】本発明の空気遮断システムの斜視図
【図２】壁体内部の斜視図
【図３】壁体及びダクトの説明図
【図４】噴出口の斜視図
【図５】遮断空間の説明図    本発明の空気遮断システムのダクトの説明図
【発明を実施するための形態】
【０００８】
以下、図面を参照しながら本発明の実施の形態について説明する。
【実施例】
【０００９】
＜１＞全体の構成
本発明の空気遮断システムは、２枚の壁体１と、壁体１の上部に設けた噴出口２から噴出する高圧空気３によって形成する遮断膜４とによって遮断空間Ｓを形成し、遮断空間Ｓ内部の空気を吸込口５から排気するものである。（図１）
高圧空気３は、給気ファン６から、外部給気ダクト７及び壁体１内部に設けたダクト１１を経由して噴出口２に供給する。
以下、本発明の空気遮断システムについて詳述する。
【００１０】
＜２＞遮断空間
遮断空間Ｓは内部に、溶融亜鉛めっきを行う際に使用する亜鉛浴Ｐを有する。
溶融亜鉛めっき作業では、めっきする素材を亜鉛浴Ｐに浸漬する際や、その後に素材のめっき表面を洗浄する際に白煙が発生する。
本発明の空気遮断システムは、トンネル状の遮断空間Ｓを形成し、遮断空間Ｓ内部において発生する白煙が周囲に拡散するのを防止するものである。
溶融亜鉛めっきは長尺な鋼材に施されることが多いため、亜鉛浴Ｐは長大な矩形状であり、それに合わせて遮断空間Ｓも長いトンネル状となる。
【００１１】
＜３＞壁体
壁体１は亜鉛浴Ｐの両側に沿って、対向して立設する。
壁体１は、作業員が遮断空間Ｓ外部にいながら、遮断空間Ｓ内部の亜鉛浴Ｐのメンテナンスやめっき素材の洗浄を行うことができるように、１ｍ程度の高さとする。
壁体１の内部には、噴出口２から噴出する高圧空気３の搬送路となるダクト１１を設ける。
【００１２】
＜４＞ダクト
壁体１内部のダクト１１は主ダクト１１１と、主ダクト１１１から分岐する枝ダクト１１２とにより構成する。（図２）
主ダクト１１１及び枝ダクト１１２は断面が矩形であり、壁体１内部に積層して設ける。
主ダクト１１１は壁体１の一方の端部で、外部給気ダクト７を介して、給気ファン６に接続する。（図３）
枝ダクト１１２は、一方の端部を主ダクト１１１に接続し、壁体１内部で立ち上げて、もう一方の端部を壁体１上部に設ける噴出口２に接続する。
壁体１は亜鉛浴Ｐに沿って立設するため、壁体１の両端において、給気ファン５からの距離が大きく異なる。
よって、噴出口２から噴出する高圧空気３の風量を壁体１のいずれの場所でも均一とするために、ダクト１１を主ダクト１１１と枝ダクト１１２とにより構成する。
【００１３】
＜５＞ダクトの形状
噴出口２を設ける部分の壁体１を、均等に分割（本例では４分割）する。そして外部給気ダクト７に接続する部分のダクト１１を、分割した数と同数の主ダクト１１１を積層して形成する。主ダクト１１１の断面積は均一とする。それぞれの主ダクト１１１は分割した壁体１まで壁体１内部に延長する。
そして、それぞれの壁体１の分割部分において、所定の数（本例では４本）の枝ダクト１１２に分岐する。分岐部分の枝ダクト１１２の断面積は均一とする。
枝ダクト１１２は噴出口２に接続し、外部給気ダクト７から供給される高圧空気３は、主ダクト１１１及び枝ダクト１１２を経由して噴出口２から噴出する。
外部給気ダクト７から供給された高圧空気３は、均一な断面積の主ダクト１１１へ均等に分割され、主ダクト１１１の高圧空気３も均一な断面積の枝ダクト１１２へ均等に分割される。
これにより、壁体１のいずれの場所の噴出口２からも均一の風量で噴出する。
【００１４】
＜６＞噴出口
噴出口２は壁体１内部の枝ダクト１１２に接続し、枝ダクト１１２から供給される高圧空気３を噴出する。
噴出口２は高圧空気３噴出側に方向板２１を有する。（図４）
方向板２１は、対向する壁体１方向から吸込口５方向へ所定の角度をつけて設ける。
高圧空気３は方向板２１により、吸込口５の方向に噴出する。
【００１５】
＜７＞遮断膜
噴出口２から噴出する高圧空気３は、壁体１のいずれの場所でもほぼ均一の風量で噴出し、遮断膜４を形成する。（図５）
高圧空気３は、対向する壁体１方向から吸込口５方向へ所定の角度をもって噴出し、壁体１間で衝突し、一体となる。
これにより、遮断膜４は壁体１間の上部の空気を巻き込みながら吸込口５方向に流れるように形成される。
【００１６】
＜８＞吸込口
吸込口５は、集塵機や排気ファンに接続し、吸込口５に流れてきた空気を吸い込んで排気するものである。
高圧空気３により遮断空間Ｓ上部に形成した噴出気流である遮断膜４と、吸込口５の吸引流とによりプッシュプル気流を形成することにより、遮断空間Ｓの遮断と遮断空間Ｓ内部の空気の排気を効率よく行うことができる。
吸込口５は、人工竜巻式局所排気装置を用いることで、広範囲に亘る吸引流を作ることができ、遮断効率の向上や、吸込口５周囲の作業空間を確保することができる。
【００１７】
＜９＞本発明の空気遮断システムの適用
本発明の空気遮断システムは、本例の溶融亜鉛めっきの亜鉛浴に限らず、煙や粉塵、臭気、蒸気等、遮断・排気を行いたい物質を発生する空間の遮断に適用することができる。
【符号の説明】
【００１８】
１      壁体
１１    ダクト
１１１  主ダクト
１１２  枝ダクト
２      噴出口
２１    方向板
３      高圧空気
４      遮断膜
５      吸込口
６      給気ファン
７      外部給気ダクト
【図１】
2011225919.tif 000003
【図２】
2011225919.tif 000004
【図３】
2011225919.tif 000005
【図４】
2011225919.tif 000006
【図５】
2011225919.tif 000007